(57)【要約】【課題】携帯し易く、脱着が容易であり、様々なサイズの指に広く対応可能で、長時間の使用でも蒸れることのない指サックを提供する。【解決手段】指サック１００は、指の腹部分のみを覆い且つ一方面１ａに滑り止め用の多数の突起部３が突設されている扁平板状のめくり片部１と、前記めくり片部１の周縁上の相互に対向位置にある二か所にそれぞれ両端が連結され且つ前記めくり片部１の周縁よりも外側に位置するように所定幅の間隙部２０を介して配設される略円弧形状のバンド部２とを備える。前記バンド部２と前記めくり片部１とは、軟質弾性樹脂の一体成形により全体に平面状に形成され、前記バンド部２と前記めくり片部１の他方面１ｂとの間に指を差し入れると、前記指は、前記バンド部２の弾性復帰力によって押さえられて前記指の腹部分が前記めくり片部１の他方面１ｂに密着するように構成されている。【選択図】図２
0003228124.tif 000002
【実用新案登録請求の範囲】
【請求項１】
指の腹部分のみを覆い且つ一方面に滑り止め用の多数の突起部が突設されている扁平板状のめくり片部と、
前記めくり片部の周縁上の相互に対向位置にある二か所にそれぞれ両端が連結され且つ前記めくり片部の周縁よりも外側に位置するように所定幅の間隙部を介して配設される略円弧形状のバンド部とを備え、
前記バンド部と前記めくり片部とは、軟質弾性樹脂の一体成形により全体に平面状に形成され、
前記バンド部を前記めくり片部の他方面側へ回動させる方向へ弾性変形させるように、前記バンド部と前記めくり片部の他方面との間に指を差し入れると、前記指は、前記バンド部の弾性復帰力によって押さえられて前記指の腹部分が前記めくり片部の他方面に密着するように構成されている指サック。
【請求項２】
請求項１に記載の指サックにおいて、
前記めくり片部は、基端と先端が円弧状端縁からなる小判型に形成され、
前記バンド部は、前記めくり片部における長手方向に沿った両側辺の中央部からバンド部を配置する基端側寄りに連結されると共に、前記めくり片部の基端を含む周縁に沿って配置され、
前記めくり片部の長手方向の先端側は、指の腹部分に沿うように湾曲された湾曲部が形成されている指サック。
【請求項３】
請求項１又は２に記載の指サックにおいて、
前記軟質弾性樹脂は、軟質塩化ビニル、軟質ポリエチレン、軟質シリコン、軟質ポリウレタン又はエラストマーで形成されている指サック。
【請求項４】
請求項１〜３のいずれか１項に記載の指サックにおいて、
前記軟質弾性樹脂には、抗菌剤及び／又は撥水剤が含有されている指サック。
【請求項５】
請求項１〜４のいずれか１項に記載の指サックにおいて、
前記バンド部は、略円弧形状における内周面の高さを厚みとし、該内周面と直交する径方向の長さを幅とし、少なくとも中央部では、厚みが幅よりも大きく形成されている指サック。
【請求項６】
請求項１〜５のいずれか１項に記載の指サックにおいて、
前記バンド部は、中央部における内周面に前記間隙部内に突出する舌片が形成されている指サック。
【請求項７】
請求項１〜６のいずれか１項に記載の指サックにおいて、
前記めくり片部は、基端側と先端側の両方又は一方に貫通孔が設けられている指サック。
【請求項８】
請求項１〜７のいずれか１項に記載の指サックにおいて、
前記めくり片部の先端部は、軟質弾性樹脂を基材とする導電性樹脂により形成されている指サック。
【請求項９】
請求項8に記載の指サックにおいて、
前記めくり片部の先端部の一方面は、前記突起部を設けずフラット面に形成されている指サック。
【考案の詳細な説明】
【技術分野】
【０００１】
本考案は、指サックに関する。
【背景技術】
【０００２】
書類、紙幣、新聞、チラシ等の紙製シートやポリ袋等の樹脂製シート等のような薄肉シートをめくったり、数えたり、離反させたりするめくり作業は、指の腹部分が乾燥していると非常にやりづらい。特に、高齢者では皮膚の乾燥が著しく、この種のめくり作業がより一層困難となっている。指の腹部分が薄肉シート上を滑らないようにするために、指を舐めながら作業することがあるが、これは衛生上好ましくない。
【０００３】
従来、指先の滑り止め具として指サックが用いられている。指サックには、一方に開放する筒型又は指ぬき型に形成されたものがあり、前記薄肉シートをめくる指に装着すれば、仕事先や学校等にて紙幣や用紙を数えたり冊子の頁をめくったりするめくり作業時に、薄肉シート上を指が滑らずに容易にめくることができるので、作業性が向上する。
【先行技術文献】
【特許文献】
【０００４】
【特許文献１】特開２００１−２８７４８１号公報
【特許文献２】特開２０１５−２１４０８６公報
【考案の概要】
【考案が解決しようとする課題】
【０００５】
しかしながら、指のサイズは、男女や大人や子ども等の人により、また何指か指の種類により異なるため、１種類の大きさの指サックでは、人や装着する指によっては緩すぎたり、きつ過ぎたりして使い勝手が悪い。また、従来の指サックは、ゴム等の通気性の悪い材質で形成されているから、これを指先に密着させた状態で、長時間使用すると、装着部位の指先が蒸れて不快であった。
【０００６】
また、従来の指サックは、弾性材料により筒型又は指ぬきのようなリング型に形成されているため、形を崩さずに嵩低く携帯するには不向きであった。よって、従来の指サックでは、例えば、スーパーマーケット等にてポリ袋を１枚取りたいとき、その口を開けたいとき、また、新聞、パンフレットや冊子を閲覧したいとき等、外出先で突発的にめくり作業が必要になったときには対応できなかった。
【０００７】
本考案は、以上の事情に鑑みてなされたものであり、携帯し易く、また、脱着が容易である上に、さらには、様々なサイズの指に広く対応可能で、長時間の使用でも蒸れることのない指サックを提供することを課題とする。
【課題を解決するための手段】
【０００８】
本考案に係る指サックは、
指の腹部分のみを覆い且つ一方面に滑り止め用の多数の突起部が突設されている扁平板状のめくり片部と、
前記めくり片部の周縁上の相互に対向位置にある二か所にそれぞれ両端が連結され且つ前記めくり片部の周縁よりも外側に位置するように所定幅の間隙部を介して配設される略円弧形状のバンド部とを備え、
前記バンド部と前記めくり片部とは、軟質弾性樹脂の一体成形により全体に平面状に形成され、
前記バンド部を前記めくり片部の他方面側へ回動させる方向へ弾性変形させるように、前記バンド部と前記めくり片部の他方面との間に指を差し入れると、前記指は、前記バンド部の弾性復帰力によって押さえられて前記指の腹部分が前記めくり片部の他方面に密着するように構成されている。
【０００９】
前記構成より、扁平板状のめくり片部と略円弧形状のバンド部とは、軟質弾性樹脂の一体成形により全体に平面状に形成されているから財布や眼鏡ケース等に入れて嵩低く携帯することができる。指サックの使用の際には、めくり片部とバンド部との間に間隙部が形成されているので、めくり片部とバンド部との間に指を簡単に差し入れることができる。このとき、バンド部とめくり片部の他方面との間に任意の指を前記めくり片部側に指の腹部分が向く姿勢で挿入する。すると、バンド部がめくり片部の他方面側へ回動する方向へ弾性変形し、バンド部の回動角度によって、めくり片部とバンド部との間の距離を変化させることができるから、指のサイズに応じてバンド部の回動角度が自然に決まり、指のサイズの違いに関わらず、めくり片部とバンド部との間に指を差し込むことができる。バンド部とめくり片部との間に差し込まれた指は、バンド部の弾性復帰力によって適度に押さえられ、めくり片部の他方面を指の腹部分に密着させた状態で装着することができる。また、バンド部とめくり片部との間から指を引き抜けば容易に指サックを取外すことができる。前記指サックの装着状態にて、めくり片部の一方面を各種薄肉シートに当てて摺動させると、めくり片部の一方面に設けられている多数の突起部が滑り止めとなって各種薄肉シートを１枚ずつめくることができる。また、前記装着状態にて、めくり片部で覆われるのは指の腹部分のみであり、筒型又は指ぬき型の指サックに比べて、指先における被覆面積が少ない。よって、長時間使用しても、指先が蒸れ難い。また、本指サックは、指への着脱が容易であることから、各種スイッチを押すとき等、衛生的に物に触れたいときに指に装着して使用することも可能である。
【００１０】
前記めくり片部は、基端と先端が円弧状端縁からなる小判型に形成され、
前記バンド部は、前記めくり片部における長手方向に沿った両側辺の中央部からバンド部を配置する基端側寄りに連結されると共に、前記めくり片部の基端を含む周縁に沿って配置され、
前記めくり片部の長手方向の先端側は、指の腹部分に沿うように湾曲された湾曲部が形成されているものとすることができる。
【００１１】
これによれば、指に装着させると、めくり片部は、湾曲部が指先に配置されて指先から指の腹部分に確実にフィットするように装着することができる。よって、指先でも指の腹部分でも、めくり作業を効率良く行えるから、めくり作業の作業性が向上する。
【００１２】
前記軟質弾性樹脂は、軟質塩化ビニル、軟質ポリエチレン、軟質シリコン、軟質ポリウレタン又はエラストマーで形成することにより、適度な弾性を有し、指の腹部分へのフィット感が向上すると共に薄肉シートに対して確実に滑り止め効果が発揮される指サックを提供することができる。また、前記軟質弾性樹脂に抗菌剤を含有させれば、常に清潔な指サックを提供することができる。また、前記軟質弾性樹脂に撥水剤を含有させれば、指サック表面への汚れや細菌等の付着を抑制でき、且つ指サックに付着した汚れ等も良好に洗い流すことができる。
【００１３】
前記バンド部は、略円弧形状における内周面の高さを厚みとし、該内周面と直交する径方向の長さを幅とし、少なくとも中央部では、厚みが幅よりも大きく形成されていることが好ましく、この場合、バンド部を回動させて指に装着したとき、バンド部の指に当たる面が広くなるから、指への装着が安定すると共に、指のフィット感が良好となる。
【００１４】
前記バンド部は、中央部における内周面に前記間隙内に突出する舌片を形成するようにしてもよく、この場合、バンド部を回動させて指に装着したとき、前記舌片が指に沿って弾性変形して指を押さえ付けるようになるから、めくり片部による指への押しつけの相乗により、指の装着を一層安定させることができる。
【００１５】
前記めくり片部は、基端側と先端側の両方又は一方に貫通孔を設けるようにしてもよい。これにより、指サック装着状態での指の蒸れ感がより減少し、快適な装着状態を維持することができる。また、めくり片部の先端側に貫通孔を設けることで、他の部材に形成した突片をバンド部を通してめくり片部の先端側の貫通孔に引っ掛けて取り付けておくようにすれば、他の部材に指サックを取り付けて携帯したりパッケージ内に保持させたりすることが容易に行える。また、めくり片部の基端側に貫通孔を設けることで、この基端側の貫通孔に紐を通してもう一つの本指サックを繋いでペアとすることができる。これにより、このペアの指サックを人差し指と親指等の異なる指に装着させるのに便利となる。
【００１６】
前記めくり片部の先端部は、軟質弾性樹脂を基材とする導電性樹脂により形成されているものとすることができ、これにより、タッチパネルをタッチ操作する際にもタッチパネルが反応して操作できるようにすることができる。この場合、前記めくり片部の先端部の一方面は、前記突起部を設けずフラット面に形成することにより、タッチパネルに対する接触面積が大きくなるから、タッチパネルにおける感度が安定して確保され、タッチ操作性を良好に行うことができる。
【考案の効果】
【００１７】
本考案によれば、携帯し易く、また、脱着が容易である上に、さらには、様々なサイズの指に広く対応可能で、長時間の使用でも蒸れることのない指サックが得られる。
【図面の簡単な説明】
【００１８】
【図１】実施の形態の指サックの平面図である。
【図２】実施の形態の指サックの斜視図である。
【図３】実施の形態の指サックの使用状態図である。
【図４】バンド部の厚みと幅との大きさを説明するための図であり、同図（ａ）はバンド部における中央部及びめくり片部との結合部分を切断した断面図、同図（ｂ）はバンド部の側から見た側面図である。
【図５】変形例１の指サックを示す図であり、同図（ａ）は平面図、同図（ｂ）は断面図、同図（ｃ）（ｄ）は太さが違う指に装着したときの使用状態断面図である。
【図６】変形例２の指サックを示す図であり、同図（ａ）は平面図、同図（ｂ）はタッチパネルをタッチ操作しているときの使用状態図である。
【考案を実施するための形態】
【００１９】
本考案の実施の形態に係る指サック１００は、図１及び図２に示すように、扁平板状のめくり片部１と、めくり片部１に一体的に連設される略円弧形状のバンド部２とを備え、めくり片部１とバンド部２とは、摩擦係数の高い軟質弾性樹脂の一体成形により全体に平面的な形状となるように形成されている。めくり片部１は、基端１１と先端１２が円弧状端縁からなる小判型に形成されており、指に装着したとき外面となる一方面１ａのほぼ全域には、多数の突起部３が突設されている。
【００２０】
バンド部２は、めくり片部１の長手方向に沿った両側辺１３の中央部から基端１１側寄りに両端が連結され且つめくり片部１の基端１１に沿って配置された略円弧形状を有し、基端１１との間には、所定幅の間隙部２０が設けられている。
【００２１】
めくり片部１の先端１２側の部分は、図２及び図３に示すように、指の腹部分から指先に沿うように他方面１ｂ側へ湾曲した湾曲部１４が形成され、また、この湾曲部１４には長円形の貫通孔１０が形成されている。
【００２２】
めくり片部１は、指サック１００の装着状態において指の第１関節における腹部分の略全域を覆う大きさを有している。また、めくり片部１の湾曲部１４は、指の腹部分から指先のカーブに沿うように曲げられている。指サック１００の素材の軟質弾性樹脂は、エラストマーで形成されているが、エラストマーに限らず、軟質塩化ビニル、軟質ポリエチレン、軟質シリコン又は軟質ポリウレタン等の樹脂で形成されてもよい。また、軟質弾性樹脂には、抗菌剤や撥水剤を含有させたものでもよい。
【００２３】
指サック１００を装着するには、間隙部２０に指先を入れ込むようにして指先でバンド部２をめくり片部１の他方面１ｂ側へ回動させると、図３に示すように、バンド部２は、指の太さに応じて所定角度でめくり片部１の他方面１ｂの上方へ移動して、めくり片部１とバンド部２との間に、めくり作業用に使用する指を差し入れることができる。このとき、めくり片部１側に指の腹部分が向くように指を差し入れると、めくり片部１の湾曲部１４に指の腹部分から指先を沿わせることができる。この指サック１００の装着状態では、バンド部２の弾性復帰力により、めくり片部１とバンド部２との間に指先が適度に押さえ付けられると共に、めくり片部１の他方面１ｂが指の腹部分に密着する。
【００２４】
指サック１００の装着状態では、めくり片部１は、おおよそ指の腹部全域を覆い、その外面となる一方面１ａで薄肉シートＳのめくり作業を行うことができる。指全体に対する被覆部分が少ないので、使用時に指先が蒸れることなく快適に使用することができる。
【００２５】
指サック１００は、めくり片部１とバンド部２とを軟質弾性樹脂の一体成形により形成するから、バンド部２とめくり片部１の他方面１ｂとの距離は、バンド部２の回動角度に応じて任意に変えることができるので、指のサイズに応じてバンド部２の回動角度が自然に設定される。従って、指のサイズに関わりなく弾性変形させたバンド部２とめくり片部１との間に指を差し込むと、差し込んだ指は、バンド部２の弾性復帰力によってめくり片部１と所定角度で起立状態となったバンド部２との間に適度に押さえ付けられた状態となって指サック１００を装着することができる。よって、様々なサイズの指に適度な押さえ付け度合いでフィットするから、男性でも女性でも、大人でも子供でも、さらには、どの指にでも、緩過ぎることも、きつ過ぎることもなく、丁度良いフィット感で装着させることができる。
【００２６】
この装着状態にて、図３に示すように、指の腹部分は、めくり片部１の他方面１ｂに密着した状態となり、指の腹部分から指先は、めくり片部１の湾曲部１４に沿う態様となる。めくり片部１の外面となる一方面１ａには、多数の突起部３が略全域にわたって突設されていることから、指サック１００を装着した指で薄肉シートＳのめくり作業を行う際、指先でめくっても、指の腹部分でめくっても、突起部３が薄肉シートＳに当たることとなる。これにより、突起部３が抵抗（滑り止め）となり、薄肉シートＳを１枚ずつ確実にめくったりポリ袋の口開け等を容易に行うことができるから、効率良くめくり作業を行うことができる。
【００２７】
バンド部２は、図４（ａ）（ｂ）に示すように、略円弧形状における内周面の高さを厚みｔ、内周面と直交する径方向の長さを幅ｗとし、厚みｔは、めくり片部１に連結する両端部から中央部に向かうに従って大きくなっており、少なくともバンド部２の中央部では、厚みｔが幅ｗよりも大きく形成されている。これにより、バンド部２を回動させて指の太さに応じて所定角度に起立状態となって指に装着したとき、バンド部２の指に当たる内周面が広くなるから、指への装着が一層安定すると共に、指のフィット感が良好となる。
【００２８】
指サック１００の装着状態において、めくり片部１は、指の腹部分のみを覆う態様である上に、指先に対応する湾曲部１４には、貫通孔１０を開口させているから、指先の蒸れを防止することができる。また、めくり片部１の先端側に貫通孔１０を設けることで、例えば、眼鏡ケース等のような他の部材に形成した突片をバンド部２とめくり片部１との間の間隙部２０を通してめくり片部１の先端側の貫通孔１０に引っ掛けて、本指サック１００を取り付けるようにすれば、眼鏡ケース等の他の部材に指サック１００を保持させて携帯したり、商品のパッケージ内に他部材に保持させて収容させたりすることが容易に行える。
【００２９】
指サック１００は、全体的に平面状に構成されているから、眼鏡ケースや財布等に嵩低く収容して携帯することができ、使用時には、バンド部２とめくり片部１との間に指を差し込むだけで簡単にバンド部２が回動して、どの指にでもぴったりフィットするように装着することができる。例えば、この指サック１００を眼鏡ケースに取り付けて携帯すれば、外出先でも、新聞、雑誌、各種チラシやパンフレット等をめくって閲覧したいときには、眼鏡を掛けると共に、指サック１００を簡単に任意の指に装着することができるから、指を舐めずにめくり作業を円滑に行うことができる。また、指サック１００を財布等に形態して、スーパーマーケット等の外出先で、ポリ袋を１枚取りたいとき、そのポリ袋の口を開けたいときに、財布等から指サック１００をさっと取り出して装着することができるから、指を舐めずにポリ袋の取り出し、口開け等の作業を円滑に行うことができる。
【００３０】
指先が乾燥しがちな者にとって使い勝手の良い指サック１００となり、また、めくり作業時に指先を舐めるといった不衛生な行為の抑制に貢献することできる。使用後には容易に指から取り外すことができ、バンド部２が元の扁平状態の位置に弾性復帰することができる。このように、携帯と着脱が容易であるから、特に、指先が乾燥気味な高齢者にとっても使い勝手の良い指サック１００を提供することができ、めくり作業時に指先を舐めるといった不衛生な行為を抑制することができる。また、何度でも繰り返し使用することができるので、使い捨てのものに比べて経済的であり、使い終わった後にゴミになることもない。洗浄も可能であるから衛生的であり、指サック１００の素材の軟質弾性樹脂に撥水剤を含有させておけば、指サック１００表面への汚れや細菌等の付着を抑制でき、且つ指サック１００に付着した汚れ等も良好に洗い流すことができる。また、指サック１００の素材の軟質弾性樹脂に抗菌剤を含有させておけば、さらに衛生的に使用することができる。
【００３１】
また、本指サックは、指への着脱が容易であることから、例えば、エレベータのボタンを押すとき、各種スイッチを押すとき等のように、衛生面から気を付けて物に触れたいときに指に装着して使用することも可能である。
【００３２】
また、めくり片部１は、図１に示すように、バンド部２を配置する基端１１側に貫通孔１５を設けるようにしてもよい。この基端１１側の貫通孔１５に紐を通してもう一つの本指サック１００を繋いでペアとすることができる。これにより、このペアの指サック１００を人差し指と親指等の異なる指に装着させるのに便利となる。また、貫通孔１５は、指の蒸れ防止にも寄与する。なお、めくり片部１は、この貫通孔１５を設けない構成としてもよい。
【００３３】
また、バンド部２は、図６（ａ）に示すように、中央部における外周面には、孔２２ａを形成する引っ掛け部２２を突出形成するようにしてもよい。この引っ掛け部２２の孔２２ａは、紐を通してもう一つの本指サック１００を繋いでペアとするために使用したり、紐を通して本指サック１００をストラップのように携帯できるようにしたりすることができる。
【００３４】
次に、前記実施形態の変形例を説明する。
変形例１の指サック１００Ａとして、図５（ａ）に示すように、バンド部２は、中央部における内周面には、間隙部２０内に突出する舌片２１を形成するようにしてもよい。舌片２１は、バンド部２の内周面の任意の高さ位置に形成することができるが、図５（ｂ）に示すように、バンド部２の厚みｔより薄肉に形成し、バンド部２の内周面において、めくり片部１の突起部３を有する一方面１ａに近い側の端部から突出させるのが好ましい。これによれば、バンド部２を回動させて指に装着したとき、舌片２１が指に沿って弾性変形して指を押さえ付けるようになり、太さの違う様々な指に装着（図５（ｃ）は細い指に装着、図５（ｄ）は太い指に装着）したときでも、指への装着を一層安定させることができる。従って、勢いよく薄肉シートＳのめくり作業を行ったときでも、指サック１００Ａが不用意に指から脱落する心配もないし、指サック１００Ａが横ずれする心配もない。
【００３５】
変形例２の指サック１００Ｂは、タッチパネルＰをタッチ操作する際にもタッチパネルＰが反応して操作できるようにしたものである。具体的に、図６（ａ）（ｂ）に示すように、変形例２の指サック１００Ｂは、タッチパネルＰにタッチする際の指先部分と対応して、めくり片部１の先端部１２０を導電性樹脂により形成したものである。これにより、めくり片部１の先端部１２０に導電性能が付与されるので、タッチパネルＰに触れると触れた位置のパネル表面の電荷状態を変化させることができる。従って、タッチパネルＰとして、感圧式（抵抗膜方式）はもちろん、静電容量方式のタッチパネルＰに対しても、本指サック１００Ｂを指に装着して指先に対応するめくり片部１の先端部１２０を通じてタッチ操作を行うことができる。例えば、ＡＴＭ、自動券売機、飲食店の注文用タブレット、カーナビ、ゲーム機、スマートフォン等におけるタッチパネルＰに対して、指で直接触れずに本指サック１００Ｂを指に装着して、衛生面を確保しながらタッチ操作を行うことができる。
【００３６】
先端部１２０を形成する導電性樹脂は、軟質弾性樹脂を基材とするものであり、例えば、導電性エラストマー（例えば、アロン化成株式会社の製品名：導電性エラストマーＡＲ−ＥＬ４−７５Ｂ）が使用される。この指サック１００Ｂは、例えば、二色成形により先端部１２０を軟質弾性樹脂を基材とする導電性樹脂で形成し、先端部１２０以外の部分を他の軟質弾性樹脂で形成することができる。先端部１２０の範囲は、めくり片部１の屈曲部分４から少し先端１２側の位置から先端１２までの範囲とするが、屈曲部分４から先端１２までの範囲である湾曲部１４全体を導電性樹脂で形成した先端部１２０としてもよい。
【００３７】
また、めくり片部１において導電性樹脂で形成した先端部１２０では、タッチ面となる一方面１ａは、フラット面１２０ａに形成して突起部３を設けない構成とする。これにより、タッチパネルＰのタッチ操作に利用されるめくり片部１の先端部１２０は、フラット面１２０ａによりタッチパネルＰに対する接触面積が大きくなるから、タッチパネルＰにおける感度が安定して確保され、タッチ操作性を良好に行うことができる。なお、本考案は、先端部１２０の一方面１ａをフラット面とすることに限定するものではなく、先端部１２０の一方面１ａに突起部３を設けるようにしてもよい。
【００３８】
なお、本考案は、前記実施形態に限定されず、様々な変更を施すことが可能であり、例えば、前記実施形態では、めくり片部１は、小判型に形成するが、これに限らず、矩形状等のように指の腹部分を覆う形状とするものであればよい。
【符号の説明】
【００３９】
１  めくり片部
１ａ  一方面
１ｂ  他方面
２  バンド部
３  突起部
４  屈曲部分
１０  貫通孔
１１  基端
１２  先端
１３  側辺
１４  湾曲部
１５  貫通孔
２０  間隙部
２１  舌片
２２  引っ掛け部
２２ａ  孔
１００  指サック
１２０  先端部
１２０ａ  フラット面
Ｐ  タッチパネル
Ｓ  薄肉シート
ｔ  バンド部の厚み
ｗ  バンド部の幅
【図１】
0003228124.tif 000003
【図２】
0003228124.tif 000004
【図３】
0003228124.tif 000005
【図４】
0003228124.tif 000006
【図５】
0003228124.tif 000007
【図６】
0003228124.tif 000008